(57)【要約】【課題】  デジタルカメラがその中に収納されているときでさえも、優れた防水性能、低コスト、高品質の画像、容易な操作を実現するデジタルカメラ用防水ケースを提供する。【解決手段】  デジタルカメラを収納する内部空間を有する筐体と、前記筐体の上下側にそれぞれ形成された上下の透明フィルムと、上部透明フィルムの側面にて前記筐体の上面に形成された第１取付部材と、第１取付部材の側面にて前記筐体から延出された波形ヘッダーと、第１取付部材の側面にて前記筐体に接続され、後部前記波形ヘッダーに位置決めされたカバーと、前記カバーの上面に形成された第２取付部材と、上部透明フィルムに熱結合されたライトチューブユニットと、を含む。【選択図】図１
2008541148.tif 000002
【特許請求の範囲】
【請求項１】
デジタルカメラ用防水ケースであって、
デジタルカメラを収納する内部空間を有する筐体と、前記筐体の上下側面のそれぞれに形成された上部透明フィルム及び下部透明フィルムと、上部透明フィルムの側面にて前記筐体の上面に形成された第１取付部材と、前記第１取付部材の側面にて前記筐体から延出する波形ヘッダーと、第１取付部材の側面にて前記筐体に接続され、前記波形ヘッダーの後背部に位置決めされたカバーと、前記カバーの上面に形成された第２取付部材と、上部透明フィルムに熱結合されたライトチューブユニットを備えたことを特徴とするデジタルカメラ用防水ケース。
【請求項２】
前記ライトチューブユニットが、上部透明フィルムに熱結合された不透明なプラスチックからなるライトチューブ体と、前記ライトチューブ体に接続された透明プラスチックからなるライトチューブヘッド部と、前記ライトチューブヘッド部の前面部分を除いて前記ライトチューブヘッド部を囲み、光の進入を前記ライトチューブヘッド部の前面部分を介してのみ許す軟質ゴムからなるライトチューブカバーと、で構成されることを特徴とする請求項１に記載のデジタルカメラ用防水ケース。
【請求項３】
前記ライトチューブヘッド部がネジ式接続によって前記ライトチューブ体に接続され、前記ライトチューブカバーが前記ライトチューブヘッド部の外装を前記ライトチューブカバーの内面をもって囲む形式で前記ライトチューブヘッド部に接続されることを特徴とする請求項２に記載のデジタルカメラ用防水ケース。
【請求項４】
前記波形ヘッダーが連続して折り曲げられるか、またはクリップ-に取り付けられることで前記筐体の内部空間の第１シールを達成し、かつ、前記カバー上に形成された第２取付部材が前記筐体の第１取付部材に結合することで前記筐体の内部空間の第２シールを達成することを特徴とする請求項１に記載のデジタルカメラ用防水ケース。
【発明の詳細な説明】
【技術分野】
【０００１】
本発明はデジタルカメラ用防水ケースに関するものであり、より具体的には、本発明は、川辺や海辺で水や砂による損傷などからデジタルカメラを保護する目的で使用されるデジタルカメラ用防水ケースに関するものである。
【背景技術】
【０００２】
デジタルカメラは、従来のアナログカメラを置き換える代替品として広く普及している。デジタルカメラは、デジタル形式で撮像し、その画像データを記憶装置内に保管するものである。かかるデジタルカメラは、物理的なフィルムを必要とせず、画像の容易な伝送と修正機能とをともに提供する。前記デジタルカメラは、通常、その内部に画像データを処理するためのチップと、データを格納するための記憶装置とが搭載されている本体と、撮像するためのレンズシステムと、シャッターを始めとする各種操作ボタンと、画像をユーザーに表示するためのＬＣＤ（液晶ディスプレイ）スクリーンと、を含む。
【０００３】
前記デジタルカメラには、水や雨などの水分と接触しないように細心の注意を払う必要がある。特に、画像データを処理するチップは水分に対して敏感である。前記デジタルカメラを水中に落下したりすると、前記チップが破損してしまう可能性もある。このような事故は、前記デジタルカメラを故障させる主要原因となっている。
【０００４】
これらの理由から、前記デジタルカメラを水への暴露による損傷から保護する目的で各種防水ケースが提案された。それら各種防水ケースの特定の例に関しては、特許文献１及び特許文献２を参照願いたい。前記特許文献１及び特許文献２の実用新案において、開示されているものを始めとする各種防水ケースが提案されたが、それらケースのほとんどは高価な上に、デジタルカメラの特定モデルのみに適用可能なものである。かかる問題点を回避するために、ビニールパックタイプの防水ケースも提案されたが、これらビニールパックタイプの防水ケースには、ケースの入り口とレンズユニット筐体位置とにおける防水性能が不十分であるという欠点があった。特に、撮影が前記ビニール防水ケース内から行われる場合には、高品質の画像を得ることができなかった。
【特許文献１】韓国実用新案登録第３６５,０９１号
【特許文献２】韓国実用新案登録第３５９,４２４号
【発明の開示】
【発明が解決しようとする課題】
【０００５】
より実用的で、より効果的、かつ高度に適切なデジタルカメラ用防水ケースの開発を試みる広範囲の研究が行われている。したがって、本発明の目的は、従来の防水ケースにおける問題点を解決するため、デジタルカメラがその中に収納されているときでさえも、優れた防水性能、低コスト、高品質の画像、容易な操作を実現するデジタルカメラ用防水ケースを提供することである。
【課題を解決するための手段】
【０００６】
本発明は、デジタルカメラを収納する内部空間を有する筐体と、前記筐体の上下側にそれぞれ形成された上下の透明フィルムと、上部透明フィルムの側面にて前記筐体の上面に形成された第１取付部材と、第１取付部材の側面にて前記筐体から延出された波形ヘッダーと、第１取付部材の側面にて前記筐体に接続され、後部前記波形ヘッダーに位置決めされたカバーと、前記カバーの上面に形成された第２取付部材と、上部透明フィルムに熱結合されたライトチューブユニットと、を含むデジタルカメラ用防水ケースが提供される。
【０００７】
前記ライトチューブユニットは、好ましくは、上部透明フィルムに熱結合された不透明なプラスチックからなるライトチューブ体と、前記ライトチューブ体に接続された透明プラスチックからなるライトチューブヘッド部と、前記ライトチューブヘッド部の前面部分を除いて前記ライトチューブヘッド部を囲み、光の進入を前記ライトチューブヘッド部の前面部分を介してのみ許す軟質ゴムからなるライトチューブカバーと、で構成される。前記ライトチューブヘッド部はネジ式接続によって前記ライトチューブ体に結合され、前記ライトチューブカバーは、前記ライトチューブヘッド部の外装を前記ライトチューブカバーの内面をもって囲む形式で前記ライトチューブヘッド部に接続される。
【発明の効果】
【０００８】
本発明に係る防水ケースは、連続折り曲げ部またはクリップの前記波形ヘッダーへの取り付けによる第１シールと、前記カバー上に形成された第２取付部材の前記筐体の第１取付部材への結合による第２シールと、から成る２つの補完的なシール機構によって前記筐体の内部空間のさらに高いシール性を実現するものである。
【０００９】
また、上部透明フィルムに熱結合された不透明なプラスチックからなるライトチューブ体と、前記ライトチューブ体に接続された透明プラスチックからなるライトチューブヘッド部と、前記ライトチューブヘッド部の前面部分を除いて前記ライトチューブヘッド部を囲み、光の進入を前記ライトチューブヘッド部の前面部分を介してのみ許す軟質ゴムからなるライトチューブカバーと、を含む前記ライトチューブユニットは画質の改善を実現するものである。さらに、前記ライトチューブユニットを除く、前記筐体、前記波形ヘッダー、前記カバー及び前記ストリング固定部材などの残りの構成部品は、安価なビニール材料から製造することができるので、コストを削減することができる。
【発明を実施するための最良の形態】
【００１０】
以下、添付図面を参照して本発明を説明する。図１は、本発明に係るデジタルカメラ用防水ケースの好適な実施形態を示す斜視図である。図１に示すように、本発明のデジタルカメラ用防水ケース１は、前記デジタルカメラを収納する内部空間を有する筐体１０と、撮像開始時に前記デジタルカメラの本体から突出したレンズシステムを保護するライトチューブユニット２０と、前記筐体１０から延出された波形ヘッダー３０と、前記筐体１０をシールするカバー４０と、を含む。
【００１１】
図１に示すように、前記筐体１０は、側面前記筐体１０の上下側面のそれぞれにて同一参照番号１０１として提示された上部透明フィルムと、下部透明フィルムと、を含む。上部透明フィルム１０１の側面には、第１取付部材１０２が前記筐体１０の表面に形成される。よって、ユーザーは、前記デジタルカメラが適切に収納されているかどうかを、前記上部透明フィルム１０１を介して点検確認することができる。下部透明フィルム１０１は、前記デジタルカメラの背面部に位置するＬＣＤ（液晶ディスプレイ）スクリーン用であり、ユーザーは、前記ＬＣＤスクリーン上に表示される画像を下部透明フィルム１０１を介して見ることで、撮影対象物が適切に位置決めされているかどうかを点検確認することができる。
【００１２】
前記ライトチューブユニット２０は、撮像開始時に前記デジタルカメラの本体から突出したレンズシステムを保護するものである。前記ライトチューブユニットの構造は本発明の特徴的な点の１つである。図４は、前記ライトチューブユニット２０が分解された形式で提示されている本発明に係るデジタルカメラ用防水ケースの好適な実施形態を示す斜視図である。
【００１３】
図４に示すように、前記ライトチューブユニット２０は、ライトチューブ体２０１と、ライトチューブヘッド部２０２と、ライトチューブカバー２０３と、で構成されている。前記ライトチューブ体２０１は上部透明フィルム１０１に熱結合されている。前記ライトチューブ体２０１は、好ましくは、不透明なプラスチック材料からなるものとする。
【００１４】
前記ライトチューブ体２０１が透明材料からなる場合、光が前記ライトチューブ体２０１を介して進入してしまうため、高品質の画像を得ることができない。それとは反対に、前記ライトチューブヘッド部２０２は、好ましくは、その前面部分を介して撮像するために透明プラスチック材料からなるものとする。前記ライトチューブカバー２０３は、好ましくは軟質ゴムからなるものとし、前記ライトチューブヘッド部２０２の前面部分を除いて前記ライトチューブヘッド部２０２を囲み、光の進入を前記ライトチューブヘッド部の前面部分２０２を介してのみ許すようになっているものとする。
【００１５】
好ましくは、前記ライトチューブヘッド部２０２は、ネジ式接続によって前記ライトチューブ体２０１に結合され、前記ライトチューブカバー２０３は、前記ライトチューブヘッド部２０２の外装を前記ライトチューブカバー２０３の内面を囲む形式で前記ライトチューブヘッド部２０２に接続されるものとする。シール能力を向上させるため、Ｏリング（図示せず）を前記ライトチューブヘッド部２０２と前記ライトチューブ体２０１との間に挿入することができるが、これは当技術分野で公知のことである。前記ライトチューブ体２０１、前記ライトチューブヘッド部２０２、及び前記ライトチューブカバー２０３を補完的な組み合わせることにより、水中撮影においてすら、さらなる画質の改善を実現することが可能である。
【００１６】
図２は、波形ヘッダーが展開・平坦化されている本発明に係るデジタルカメラ用防水ケースの好適な実施形態を示す斜視図であり、図３は、波形ヘッダーが展開されている本発明に係るデジタルカメラ用防水ケースの好適な実施形態を示す別の斜視図である。図２及び図３を参照して、前記デジタルカメラの前記防水ケース１への収納をより詳細に説明する。前記デジタルカメラ（図示せず）は、前記筐体１０から延出する前記波形ヘッダー２０の端部を介して前記筐体１０の内部空間に挿入される。
【００１７】
次いで、前記波形ヘッダー３０は、波形ライン３０１に沿って連続して折り曲げられ、その巻き丸められた波形ヘッダー３０は前記筐体１０に緊密に付着される。その巻き丸められた波形ヘッダー３０は前記筐体１０に密着するので、第１シールが達成されこととなる。前記カバー４０は前記波形ヘッダー３０の後背部に位置決めされる。前記カバー４０の上面には、第２取付部材４０１が形成される。前記筐体１０の第１取付部材１０２と、前記カバー４０上に形成された第２取付部材４０１と、の間の結合により、第２シールが達成されることとなる。
【００１８】
なお、第１シールは、前記波形ヘッダー３０の連続折り曲げ部を形成することによって達成できるが、その代わりに、クリップを前記波形ヘッダー３０に取り付けることによっても達成することが可能である。図５は、前記クリップ取付の具体的な実施形態を示すものである。図５に示すように、クリップ７０は、前記波形ヘッダー３０に取り付けられ、それによって第１シールが達成される。その後、前記カバー４０上に形成された第２取付部材４０１は、前記筐体１０の第１取付部材１０２に結合されて前記筐体１０のシールを達成する。必要があれば、第１シールは、前記波形ヘッダー３０連続折り曲げと、クリップの前記波形ヘッダー３０への取り付けとの組み合わせによっても達成可能である。
【００１９】
前記連続折り曲げまたはクリップの前記波形ヘッダー３０への取り付けによる第１シールと、前記カバー４０上に形成された第２取付部材４０１の前記筐体１０の第１取付部材１０２への結合による第２シールとから成る、２つの補完的なシール機構の補助により、前記筐体の内部空間のさらに高いシール性を達成することが可能である。これは本発明の別の特徴的な点である。前記２つの補完的なシール機構により、安全な水中撮影が実現される。その内部にデジタルカメラが収納される前記防水ケース１が海中に置かれると、前記筐体１０の内部空間は水圧のために膨張する。これは、前記波形ヘッダー３０と前記カバー４０との間の緊密な接触を強化し、さらに高いシール性が達成されるようになる。したがって、その内部にデジタルカメラが収納される前記防水ケース１を、水中撮影に有用に適用可能である。
【００２０】
未説明の参照番号５０は、ポータブルストリングが前記部材５０の内側に形成された穴を介して固定されるストリング固定部材である。これは、その内部にデジタルカメラが収納される前記防水ケースの携帯性を向上させるものである。図６は、デジタルカメラが防水ケース内に収納されている本発明に係るデジタルカメラ用防水ケースの具体的な実施形態を示す写真画像である。前記図６では、前記防水ケースの実際の使用法が具体的に例証されている。
【００２１】
記載したように、本発明が、本発明の真の趣旨と範囲への作用、影響または変更なしに、当該技術分野におけるさまざまな配置構成を介して実装され得ることは明らかである。したがって、当然のことながら、本明細書中で例示された実施例及び適用例は、本発明を制限するものではなく、その本質を説明することを意図しているものであることを理解されたい。
【図面の簡単な説明】
【００２２】
【図１】図１は、本発明に係るデジタルカメラ用防水ケースの好適な実施形態を示す斜視図である。
【図２】図２は、波形ヘッダーが展開・平坦化されている本発明に係るデジタルカメラ用防水ケースの好適な実施形態を示す斜視図である。
【図３】図３は、波形ヘッダーが展開されている本発明に係るデジタルカメラ用防水ケースの好適な実施形態を示す斜視図である。
【図４】図４は、ライトチューブユニットが分解された形式で提示されている本発明に係るデジタルカメラ用防水ケースの好適な実施形態を示す斜視図である。
【図５】図５は、波形ヘッダーがクリップ取付されている本発明に係るデジタルカメラ用防水ケース別の好適な実施形態を示す斜視図である。
【図６】図６は、デジタルカメラが収納されている本発明に係るデジタルカメラ用防水ケースの具体的な実施形態を示す写真画像である。
【符号の説明】
【００２３】
１０  筐体
２０  ライトチューブユニット
１０１  上部フィルム
２０１  ライトチューブ体
２０２  ライトチューブヘッド
２０３  ライトチューブカバー
【図１】
2008541148.tif 000003
【図２】
2008541148.tif 000004
【図３】
2008541148.tif 000005
【図４】
2008541148.tif 000006
【図５】
2008541148.tif 000007
【図６】
2008541148.tif 000008
【国際調査報告】
2008541148.tif 000009
2008541148.tif 000010